(57)【要約】【課題】  大気浄化機能および緑化機能を有しながら、緑化空間に圧迫感を生じさせず、個々の緑化ユニットの意匠選択の自由度、設置場所や設置の態様の自由度が高く、施工も容易であり、灌水の機能にも優れた大気浄化型緑化装置を提供する。【解決手段】  互いに離れて配置される複数の緑化ユニット２と、これら複数の緑化ユニット２に連なって各緑化ユニット２に灌水を供給する共用灌水供給手段３とを備える。各緑化ユニット２は、通気性を有する植物育成基盤４、およびこの植物育成基盤４内を植物育成面４ａへ通過させる空気を送るユニット内通気路を外枠内に有する。ユニット内通気路に給気する強制送風手段６を設ける。【選択図】      図１
2015202091.tif 000002
【特許請求の範囲】
【請求項１】
互いに離れて配置される複数の緑化ユニットと、これら複数の緑化ユニットに連なって各緑化ユニットに灌水を供給する共用灌水供給手段とを備え、
前記各緑化ユニットは、通気性を有する植物育成基盤、およびこの植物育成基盤内を植物育成面へ通過させる空気を送るユニット内通気路を外枠内に有し、
前記ユニット内通気路に給気する強制送風手段を設けた、
大気浄化型緑化装置。
【請求項２】
請求項１に記載の大気浄化型緑化装置において、前記共用灌水供給手段は、いずれかの複数の前記緑化ユニットへ順次灌水を送る順送り経路を有し、この順送り経路は、順送りの前段の緑化ユニットの前記植物育成基盤内を通過した余剰の灌水を、後段の緑化ユニットの前記植物育成基盤へ供給する大気浄化型緑化装置。
【請求項３】
請求項１または請求項２に記載の大気浄化型緑化装置において、前記強制送風手段は、複数の前記緑化ユニットの前記ユニット内通気路に連通するユニット外通気路と、このユニット外通気路を介して複数の前記ユニット内通気路へ給気を行う共有の送風機とでなる大気浄化型緑化装置。
【請求項４】
請求項１ないし請求項３のいずれか１項に記載の大気浄化型緑化装置において、前記各緑化ユニットが、上下に延びる棒状である大気浄化型緑化装置。
【請求項５】
請求項１ないし請求項３のいずれか１項に記載の大気浄化型緑化装置において、前記各緑化ユニットが、水平な環状である大気浄化型緑化装置。
【発明の詳細な説明】
【技術分野】
【０００１】
この発明は、屋内や屋外を緑化する機能と大気を清浄化する機能とを備えた大気浄化型緑化装置に関する。
【背景技術】
【０００２】
従来、壁面緑化装置において、その土壌層をフィルターとして利用し、大気浄化機能を兼用させた大気浄化型緑化装置が提案されている。前記土壌層は、例えば１ｍ×１ｍ程度の緑化ユニットとし、これを連続状態に連結するものも提案されている。この他に、床面や地上等に設置される大気浄化型緑化装置（特許文献１）も提案されている。大気浄化機能を持たない緑化装置では、ルーバー型とした装置を提案されている（特許文献２）。
【先行技術文献】
【特許文献】
【０００３】
【特許文献１】特開２０１０−０４３５４５号公報
【特許文献２】特開２００９−２９１０９８号公報
【特許文献３】特開２０１３−１４４８８６号公報
【特許文献４】特開２０１３−１６２７８２号公報
【発明の概要】
【発明が解決しようとする課題】
【０００４】
上記従来の壁面緑化と大気浄化機能を兼用させる大気浄化型緑化装置は、複数の緑化ユニットに分割されてはいるが、各緑化ユニットを密に連続して配置する構成であるため、圧迫感があり、風や日射の妨げとなる。各緑化ユニットを密に連続して配置する構成であることから、デザインも固定されがちである。また、一つの緑化ユニットが１ｍ×１ｍ程度と大きいため、１００Ｋｇ程度と重く、施工が大変である。
【０００５】
前記床または地面上に設置するタイプの大気浄化型緑化装置は、工場やトンネル内等の広い空間を浄化する構成であって、一般的な室内の配置には不向きである。
前記ルーバー型の緑化装置は小型ではあるが、大気浄化の機能は持たない。
【０００６】
この発明の目的は、大気浄化機能および緑化機能を有しながら、緑化空間に圧迫感を生じさせず、個々の緑化ユニットの意匠選択の自由度、設置場所や設置の態様の自由度が高く、施工も容易であり、灌水の機能にも優れた大気浄化型緑化装置を提供することである。
【課題を解決するための手段】
【０００７】
この発明の大気浄化型緑化装置は、互いに離れて配置される複数の緑化ユニットと、これら複数の緑化ユニットに連なって各緑化ユニットに灌水を供給する共用灌水供給手段とを備え、
前記各緑化ユニットは、通気性を有する植物育成基盤、およびこの植物育成基盤内を植物育成面へ通過させる空気を送るユニット内通気路を外枠内に有し、
前記ユニット内通気路に給気する強制送風手段を設けたものである。
【０００８】
この構成によると、各緑化ユニットが植物育成基盤とこの植物育成基盤へ空気を送るユニット内通気路とを有するため、大気浄化機能および緑化機能を併せ持つ。このように大気浄化機能と緑化機能を併せ持つが、個々の緑化ユニットが互いに離れて配置される。そのため、複数の緑化ユニットを並べながら、緑化空間に圧迫感が生じ難く、個々の緑化ユニットの意匠選択の自由度や、設置場所、設置の態様の自由度が高く、施工も容易となる。各緑化ユニットは離れて配置するが、複数の緑化ユニットに連なって各緑化ユニットに灌水を供給する共用灌水供給手段を設けるため、個々の緑化ユニット毎に灌水用のポンプ等を設置する構成と異なり、灌水の手段の機能および簡素化にも優れる。
【０００９】
この発明において、前記共用灌水供給手段は、いずれかの複数の前記緑化ユニットへ順次灌水を送る順送り経路を有し、この順送り経路は、順送りの前段の緑化ユニットの前記植物育成基盤内を通過した余剰の灌水を、後段の緑化ユニットの前記植物育成基盤へ供給するものとしても良い。
このように余剰の灌水を、後段の緑化ユニットの前記植物育成基盤へ供給する構成とした場合、灌水の供給の手段と、余剰の灌水を配する手段とが兼用されて、構成が簡素となり、また小型化される。そのため、より一層の圧迫間の緩和に繋がる。
【００１０】
この発明において、前記強制送風手段は、複数の前記緑化ユニットの前記ユニット内通気路に連通するユニット外通気路と、このユニット外通気路を介して複数の前記ユニット内通気路へ給気を行う共有の送風機とでなるものとしても良い。
このようにユニット内通気路およびユニット外通気を介して複数の緑化ユニットに共有の送風機で送風する構成とすることで、送風のための構成が簡素化される。
【００１１】
この発明において、前記各緑化ユニットが、上下に延びる棒状であっても良い。各緑化ユニットが上下に延びる棒状であると、各緑化ユニットが間隔を開けて配置される構成と相まって、圧迫間の生じないパーティション等として利用することができる。
【００１２】
この発明において、前記各緑化ユニットが、水平な環状であっても良い。各緑化ユニットが水平な環状であると、花壇のような配置形態としたり、建物の吹き抜け空間の上部につり下げて設置することなどで、意匠性に優れた緑化空間を造り出すことができる。
【発明の効果】
【００１３】
この発明の大気浄化型緑化装置は、互いに離れて配置される複数の緑化ユニットと、これら複数の緑化ユニットに連なって各緑化ユニットに灌水を供給する共用灌水供給手段とを備え、前記各緑化ユニットは、通気性を有する植物育成基盤、およびこの植物育成基盤内を植物育成面へ通過させる空気を送るユニット内通気路を外枠内に有し、前記ユニット内通気路に給気する強制送風手段を設けたため、大気浄化機能および緑化機能を有しながら、緑化空間に圧迫感を生じさせず、個々の緑化ユニットの意匠選択の自由度、設置場所や設置の態様の自由度が高く、施工も容易であり、灌水の機能にも優れる。
【図面の簡単な説明】
【００１４】
【図１】この発明の第１の実施形態にかかる大気浄化型緑化装置の正面図である。
【図２】（Ａ）は同大気浄化型緑化装置における緑化ユニットの正面図、（Ｂ）は同縦断面図である。
【図３】（Ａ）は同緑化ユニットの一例の水平断面図、（Ｂ）は同緑化ユニットの他の例の水平断面図である。
【図４】同大気浄化型緑化装置の緑化ユニット配置形態の各例を示す説明図である。
【図５】この発明の他の実施形態にかかる大気浄化型緑化装置の正面図である。
【図６】（Ａ）はこの発明のさらに他の実施形態にかかる大気浄化型緑化装置の正面図、（Ｂ）はその緑化ユニットの縦断面図、（Ｃ）は同正面図である。
【図７】この発明のさらに他の実施形態にかかる大気浄化型緑化装置における緑化ユニットの斜視図である。
【図８】同緑化ユニットの拡大縦断面図である。
【図９】同緑化ユニットを複数用いた大気浄化型緑化装置の斜視図である。
【図１０】同大気浄化型緑化装置の一設置態様を示す説明図である。
【図１１】この発明のさらに他の実施形態にかかる大気浄化型緑化装置の平面図である。
【図１２】同大気浄化型緑化装置における緑化ユニットの縦断面図である。
【図１３】同大気浄化型緑化装置の他の設置態様を示す説明図である。
【発明を実施するための形態】
【００１５】
この発明の第１の実施形態を図１ないし図４と共に説明する。この実施形態の大気浄化型緑化装置１は、図１に正面図で示すように、互いに離れて配置される複数の緑化ユニット２と、これら複数の緑化ユニット２に連なって各緑化ユニット２に灌水を供給する共用灌水供給手段３とを備える。
【００１６】
各緑化ユニット２は、図２（Ａ），（Ｂ）に正面図および縦断面図で示すように、上下に延びる棒状であって、通気性を有する植物育成基盤４と、この植物育成基盤４内から植物育成面４ａへ通過させる被浄化空気ａを送るユニット内通気路５とを有する。植物育成基盤４は、例えば図３（Ａ）に水平断面図で示すように、断面溝形の外郭４ｂ内に土壌４ｃを充填してなる。植物育成基盤４の植物育成面４ａとなる外郭４ｂの開放面は、土壌４ｃが漏れない程度の粗さのワイヤーメッシュ４ｅ等が張られる。土壌４ｃには黒ぼく土、腐葉土、パーライト等が用いられる。
【００１７】
前記ユニット内通気路５は、この例ではパイプからなり、外郭４ｂ内に上下方向に延びて設けられて植物育成基盤４内に埋め込まれる。このパイプからなるユニット内通気路５の上下方向の複数箇所に通気口５ａが設けられる。これらの通気口５ａを出た被浄化空気ａが、植物育成基盤４の土壌４ｃを通過して植物育成面４ａを出ることで浄化される。なお、ユニット内通気路５の通気口５ａが緑化ユニット１の上部の位置にあると、緑化ユニット２の上部で土壌４ｃの目減りが起きると、前記通気口を出た被浄化空気ａが植物育成面４ａと短絡し空気浄化機能が働かないので、これを避けるためにユニット内通気路５の通気口５ａは上部位置に設けないのが望ましい。
【００１８】
前記ユニット内通気路５は、上記のようにパイプで構成する他に、図３（Ｂ）のように、緑化ユニット２の外郭４ｂ内の土壌４ｃの背面に沿って縦に延びる空間を確保して、これをユニット内通気路５としても良い。この構成の場合、植物育成基盤４の背面とユニット内通気路５との間は、ワイヤーメッシュ４ｅ等の通気性の仕切り材で仕切る。
【００１９】
緑化ユニット２の上端には、外部の被浄化空気ａをユニット内通気路５に給気する強制送風手段６が設けられる。この場合、強制送風手段６は送風機からなる。
【００２０】
なお、この例では、各緑化ユニット２の上端に強制送風手段６を設けたが、一部の緑化ユニット２にだけ強制送風手段６を設け、他の緑化ユニット２、例えばその両隣りの緑化ユニット２の強制送風手段６に共用しても良い。具体的例を挙げると、一部の緑化ユニット２に設けた強制送風手段６から送風パイプを延ばし、その送風パイプを両隣りの各緑化ユニット２のユニット内通気路５にそれぞれ接続しても良い。
【００２１】
前記共用灌水供給手段３は、いずれかの複数の緑化ユニット２へ順次灌水を送る順送り経路７を有する。図１では、複数並べて配置される緑化ユニット２の上端部をそれぞれ貫通する１本のチューブで前記共用灌水供給手段３が構成されており、そのチューブの各緑化ユニット２内に位置する部分にそれぞれ灌水用の孔３ａが設けられている。このように、共用灌水供給手段３の順送り経路７を各緑化ユニット２の上端部に貫通させることにより、順送り経路７の灌水用孔から出た灌水を、緑化ユニット２内の全土壌４ｃに均等に供給することができる。順送り経路７の始端は、水道の蛇口や特定の貯水タンクなどの給水源に接続される。緑化ユニット２の下端部には、図２のように、植物育成基盤４の土壌４ｃ内を流下した灌水を受ける水受け部８が設けられている。
【００２２】
この実施形態では、共用灌水供給手段３の順送り経路７が各緑化ユニット２の上端部をそれぞれ貫通する１本のチューブからなるため、複数の緑化ユニット２が順送り経路７によってスダレ状に連結されることになる。順送り経路７の他に、連結用の部材（図示せず）を介して各緑化ユニット２を連結しても良い。このように棒状の緑化ユニット２を、間隔を開けて連結することにより、この大気浄化型緑化装置１は、図４のようにパーティションとして利用することができる。共用灌水供給手段３の順送り経路７を構成するチューブは硬質なものであっても良いが、フレキシブルなチューブを用いた場合には、連続する緑化ユニット２の形状を、図４（Ａ）のような蛇行状としたり、図４（Ｂ）のように一定のエリアを囲むＣ字状としたり、図４（Ｃ）のように２つのエリアを仕切るＳ字状としたりすることができ、デザインを自在に変えることができる。この場合、棒状の緑化ユニット２がスダレ状に連結された構造であるため、周りの風景が木立の間に垣間見えるような風景となり、圧迫感のない緩やかな遮蔽効果が得られる。
【００２３】
このように、この構成の大気浄化型緑化装置１によると、互いに離れて配置される複数の緑化ユニット２と、これら複数の緑化ユニット２に連なって各緑化ユニット２に灌水を供給する共用灌水供給手段３とを備え、各緑化ユニット２は、通気性を有する植物育成基盤４、およびこの植物育成基盤４内を植物育成面４ａへ通過させる空気を送るユニット内通気路５を外枠４ｂ内に有し、ユニット内通気路５に給気する強制送風手段６を設けたため、デザイン性に優れ、設置場所や設置の態様に多様性があり、施工も容易となる。
【００２４】
図５は、この発明の他の実施形態を示す。この実施形態の大気浄化型緑化装置１Ａは、図１〜図４に示した先の実施形態において、前記強制送風手段６が、複数の緑化ユニット２の各ユニット内通気路５に連通するユニット外通気路９と、このユニット外通気路９を介して複数の緑化ユニット２のユニット内通気路５へ給気を行う共通の送風機１０とでなる。この場合も、ユニット外通気路９としてフレキシブルなチューブを用いると、先の実施形態の場合と同様に、連続する緑化ユニット２の形状を変えることができ、用途に応じてデザインを自在に変えることができる。その他の構成および作用効果は、先の実施形態の場合と同様である。
【００２５】
図６は、この発明のさらに他の実施形態を示す。この実施形態の大気浄化型緑化装置１Ｂは、図５に示した実施形態において、強制送風手段６のユニット外通気路９を、複数の緑化ユニット２の下端部に設けている。この場合、複数の緑化ユニット２の上端部が共用灌水供給手段３の順送り経路７で連結され、複数の緑化ユニット２の下端部が強制送風手段６のユニット外通気路９で連結されるので、スダレ状の連結構造がより安定したものとなり、庭などのスペースへの設置作業を容易に行うことができる。その他の構成および作用効果は図５に示した実施形態の場合と同様である。
【００２６】
図７ないし図１０は、この発明のさらに他の実施形態を示す。この実施形態の大気浄化型緑化装置１Ｃは、図９のように、互いに離れて配置される複数の緑化ユニット２と、これら複数の緑化ユニット２に連なって各緑化ユニット２に灌水を供給する共用灌水供給手段３と、強制送風手段６とを有するが、緑化ユニット２は棒状ではなく図７のように水平な環状とされている。
【００２７】
具体的には、図７における環体の周方向の一部が、強制送風手段６における送風機１０とされ、その送風機１０に隣接する部分が送風機１０の吸込口１０ａとされ、環体の周方向の残りの部分である大部分が緑化ユニット２とされている。緑化ユニット２の部分では、その縦断面図を示す図８のように、断面が上向き溝形の外枠４ｂ内に土壌４ｃを充填した通気性を有する植物育成基盤４が設けられ、前記外枠４ｂ内には、共用灌水供給手段３の順送り経路７と、植物育成基盤４の上面である植物育成面４ａへ被浄化空気ａを通過させるためのユニット内通気路５とが上下に分けて配置されている。環状の各緑化ユニット２は、共用灌水供給手段３の順送り経路７と強制送風手段６のユニット外通気路９とが配置された連結パイプ１１によって立体的に連結されている。複数設けられる各緑化ユニット２は、互いに同じ外径であっても良いが、この例では互いに異なる外径の緑化ユニット２を混在させている。その他の構成は、先の各実施形態の場合と同様である。
【００２８】
この実施形態の場合、図１０のように、椅子やテーブル等と同じ高さに大気浄化型緑化装置１Ｃの高さを設定して設置することにより、花壇のように使用できて大気浄化も果たすことができる。その他の作用効果は、先の各実施形態の場合と略同様である。
【００２９】
図１１ないし図１３は、この発明のさらに他の実施形態を示す。この実施形態の大気浄化型緑化装置１Ｄも、図１１に平面図で示すように、複数の緑化ユニット２が図７〜図１０に示した実施形態の場合と同様に水平な環状とされている。この場合にも、緑化ユニット２では、図１１のＡ−Ａ矢視断面図を示す図１２のように、外枠４ｂ内に土壌４ｃを充填した通気性を有する植物育成基盤４が設けられる。さらに、前記外枠４ｂ内の前記植物育成基盤４の下部には、共用灌水供給手段３の順送り経路７と、植物育成基盤４の上面である植物育成面４ａへ被浄化空気ａを通過させるためのユニット内通気路５とが左右に分けて配置されている。前記順送り経路７とユニット内通気路５の配置部の下位置には、照明器具１２が配置されている。この実施形態においても、複数設けられる各緑化ユニット２は、互いに同じ外径であっても良いが、この例では互いに異なる外径の緑化ユニット２を混在させている。
【００３０】
この実施形態の大気浄化型緑化装置１Ｄでは、上記のように各緑化ユニット２が、緑化機能および大気浄化機能のほかに、下向きに光を照射する照明機能も有する。その他の構成は、図７〜図１０に示した先の実施形態の場合と同様である。
この実施形態の場合、図１３のように、この大気浄化型緑化装置１Ｄを吹き抜け空間等の天井に配置することにより、その空間の緑化、大気浄化だけでなく、照明も果たすことができる。その他の作用効果は、先の各実施形態の場合と同様である。
【符号の説明】
【００３１】
１，１Ａ〜１Ｄ…大気浄化型緑化装置
２…緑化ユニット
３…共用灌水供給手段
４…植物育成基盤
４ａ…植物育成面
４ｂ…外郭
５…ユニット内通気路
６…強制送風手段
７…順送り経路
９…ユニット外通気路
１０…送風機
【図１】
2015202091.tif 000003
【図２】
2015202091.tif 000004
【図３】
2015202091.tif 000005
【図４】
2015202091.tif 000006
【図５】
2015202091.tif 000007
【図６】
2015202091.tif 000008
【図７】
2015202091.tif 000009
【図８】
2015202091.tif 000010
【図９】
2015202091.tif 000011
【図１０】
2015202091.tif 000012
【図１１】
2015202091.tif 000013
【図１２】
2015202091.tif 000014
【図１３】
2015202091.tif 000015